(57)【特許請求の範囲】
【請求項１】
下端部が水面下に挿入されて設置される防波管と、
この防波管の内部に挿入される圧力式水位計と、
前記防波管の下端の開口部に着脱自在に設けられると共に通孔が形成された底蓋と、
前記底蓋に連結されてこの底蓋と一体に変位し、前記防波管に沿って略平行に水面より上方まで延設された操作棒と、
前記操作棒の水面より上側に設けられて該操作棒を操作する操作部と、
を備え、
前記操作棒は、前記操作部による操作で軸方向及び周方向に変位可能であり、また、
前記操作棒は、前記底蓋よりも下方に延設され、
前記操作棒の内部に外部から供給される水を下端部まで導く導水路を形成し、この操作棒の前記底蓋よりも下方に位置する部位に前記導水路を介して供給された水を噴出する噴出ノズルを設けたことを特徴とする圧力式水位計測装置。
【請求項２】
前記噴出ノズルは、前記操作棒の前記底蓋よりも下方の部分において、前記操作棒の軸方向に複数配設されると共に前記操作棒の周方向にも複数配設されて、前記操作棒の軸心に対して略垂直方向に水を噴出することを特徴とする請求項１記載の圧力式水位計測装置。
【請求項３】
前記噴出ノズルは、前記操作棒の下端にも設けられて、前記操作棒の軸方向下方に水を噴出することを特徴とする請求項２記載の圧力式水位計測装置。
【請求項４】
前記底蓋は、中央部位を頂部として周縁に向かうほど下方へ下がるテーパ状に形成され、前記通孔は、前記中央部位に軸方向に形成されていることを特徴とする請求項１〜３のいずれかに記載の圧力式水位計測装置。
【請求項５】
前記操作部は、前記操作棒に結合された操作レバーと、この操作レバーを所定の軌跡上を上下動または水平動させるガイド孔が形成された操作盤と、前記操作盤に設けられ、前記操作レバーの動きを規制可能するストッパとを備えることを特徴とする請求項１〜４のいずれかに記載の圧力式水位計測装置。
【請求項６】
前記操作盤に設けられるガイド孔は、前記操作棒の軸方向に沿って形成された軸孔と、この軸孔の下端に連結され、前記操作棒の周方向に沿って形成された周孔とから形成されることを特徴とする請求項５記載の圧力式水位計測装置。
【請求項７】
請求項１乃至６に記載の圧力式水位計測装置を用いた防波管内堆積物除去方法であって、
前記操作部を下方に操作して前記底蓋を前記防波管の下端部から下方へ変位させて外し、しかる後に前記操作棒を周方向に操作して前記底蓋を前記操作棒を中心として回動させることで前記底蓋の軸心を前記防波管の軸心からずらす底蓋離脱ステップと、
前記底蓋が前記防波管から離脱した状態において、前記操作部を周方向に操作して前記底蓋の軸心と前記防波管の軸心とを一致させ、しかる後に前記操作棒を上方へ操作して前記底蓋を前記防波管の下端部に装着させる底蓋装着ステップと
を具備することを特徴とする防波管内堆積物除去方法。
【請求項８】
前記操作部を下方に操作して前記底蓋を前記防波管の下端部から下方へ変位することが困難な場合に、前記噴出ノズルから前記導水路を介して供給された水を噴射させることを特徴とする請求項７記載の防波管内堆積物除去方法。
【発明の詳細な説明】
【技術分野】
【０００１】
本発明は、河川やダムなどの水位計測に用いる投入式の圧力式水位計を防波管の内部に収容し、防波管の下端開口部に通孔が形成された底蓋が設けられている圧力式水位計測装置及びこれを用いた防波管内堆積物除去方法に関する。
【背景技術】
【０００２】
河川やダムの水位を計測する機器のひとつに液圧を検出することによって液面の高さを測定する圧力式水位計を液中に設置する投入式の圧力式水位計測装置がある。これは、防波管と称する円筒型の配管をその下端部が水面下に挿入されるように設置し、この防波管の内部に圧力式水位計を挿入し、この圧力式水位計を最も水位が低下する水位よりも下方に位置し、且つ、防波管の下端開口部よりも上方に位置するように設置したものである（特許文献１，２参照）。
【０００３】
このような圧力式水位計測装置は、フロート式水位計測装置（特許文献３参照）と比べると、安価でスペースが小さい箇所に取付けることが可能であるが、河川等に設置する場合には、小刻みな水位変動まで防波管内に伝達されると、圧力式水位計で感知する水位表示がばらつくため、図５に示されるように、防波管の下端開口部を底蓋で閉塞し、この底蓋に小口径の通孔を開けることで、防波管内に小刻みな水位変動が伝達されることを抑制するようにしている。
【先行技術文献】
【特許文献】
【０００４】
【特許文献１】特開２００８−１２８６８８号公報
【特許文献２】特許第３２３４９７０号公報
【特許文献３】特開２００７−７８５６１号公報
【発明の概要】
【発明が解決しようとする課題】
【０００５】
しかしながら、図５に示されるように、圧力式水位計５が収容された防波管４の下端開口部４ａに設けられた底蓋６に通孔７を形成されていると、この通孔７から流水と共に水中の土砂等の浮遊物が少なからず入り込むため、この通孔７を介して入り込んだ浮遊物が防波管４の底蓋上面に堆積し、この堆積物αによって通孔７が塞がれてしまし、正確な水位を計測することができなくなる不都合がある。
このため、従来の圧力式水位計測装置においては、ダムや水路の断水を行い、防波管底部の底蓋を開放して防波管内部の堆積物を除去する作業を行うようにしており、大掛かりな作業が必要となり、大変な手間と時間を要していた。
【０００６】
このような不都合を回避するために、前述した特許文献３に示されるように、筒状体の下端の開口部に、ここを開閉する開閉蓋を設け、この開閉蓋をヒンジを中心に回動自在とし、ヒンジと反対側の端部にワイヤーを接続してワイヤーを介して遠隔操作する構成も考えられるが、底蓋は、ワイヤーを巻き出すことで、自重によってヒンジを中心に開放させる構成であるため、開閉操作時に防波管の下方に土砂が溜まっている場合には、底蓋の開動作が不能になるという不都合がある。
【０００７】
本発明は、かかる事情に鑑みてなされたものであり、圧力式水位計を防波管内に挿入する圧力式水位計測装置において、防波管底部に設けられる底蓋を水位よりも上方の位置から確実に開閉させることができる圧力式水位計測装置を提供することを主たる課題としている。また、防波管の下端部が土砂で埋設された場合でも、防波管下方の土砂を除去して底蓋を開閉させ易くすることをも課題としている。
【課題を解決するための手段】
【０００８】
上記課題を達成するために、本発明に係る圧力式水位計測装置は、下端部が水面下に挿入されて設置される防波管と、この防波管の内部に挿入される圧力式水位計と、前記防波管の下端の開口部に着脱自在に設けられると共に通孔が形成された底蓋と、前記底蓋に連結されてこの底蓋と一体に変位し、前記防波管に沿って略平行に水面より上方まで延設された操作棒と、前記操作棒の水面より上側に設けられて該操作棒を操作する操作部と、を備え、前記操作棒は、前記操作部による操作で軸方向及び周方向に変位可能であることを特徴としている。
【０００９】
したがって、防波管の下端の開口部に着脱自在に設けられる底蓋は、これと一体に変位する操作棒を操作することにより軸方向及び周方向に変位させることが可能となるので、操作部による操作部の軸方向及び周方向への移動を底蓋に直接伝達させることが可能となり、底蓋を操作部の操作通りに動かすことが可能となる。このため、底蓋の下方に土砂が溜まっていても、底蓋を押し下げたり回動させたりすることで、底蓋の下方の土砂をある程度排除させることができ、底蓋の開閉動作を的確に行うことが可能となる。
【００１０】
また、上述した圧力式水位計測装置は、さらに操作棒を防波管の下端に取付けられた底蓋よりも下方に延設し、操作棒の内部に外部から供給される水を下端部まで導く導水路を形成し、この操作棒の底蓋よりも下方に位置する部位に導水路を介して供給された水を噴出する噴出ノズルが設けられている。
このような構成によれば、操作部による底蓋の動きが底蓋下方の土砂で妨げられている場合でも、噴出ノズルから噴出させる水により防波管の下方に溜まっている土砂を吹き散らして除去することが可能となり、操作部による底蓋のよる動きをより確実にすることが可能となる。
【００１１】
尚、前記噴出ノズルは、前記操作棒の前記底蓋よりも下方の部分において、前記操作棒の軸方向に複数配設されると共に前記操作棒の周方向にも複数配設されて、前記操作棒の軸心に対して略垂直方向に水を噴出するようにするとよい。このよう構成とすることで、防波管下方に溜まっている土砂を広範囲に亘って除去することが可能となる。
【００１２】
また、前記噴出ノズルを操作棒の下端にも設けて、操作棒の軸方向下方に水を噴出するようにしてもよい。このような構成とすることで、操作棒の直下に溜まっている土砂を除去して操作棒のスムーズな動きを確保することが可能となる。
【００１３】
また、底蓋は、その上面が中央部位を頂部として周縁に向かうほど下方へ下がるテーパ状に形成され、通孔は、中央部位に軸方向に形成されるようにするとよい。
このような構成によれば、底蓋の上面がテーパ状に形成されているので、底蓋を防波管から外した場合に、底蓋の上面に堆積している浮遊物を底蓋の上から除去しやすくなり、また、通孔の距離を相対的に長くすることができるので、防波管内に侵入する土砂等を低減することが可能となる。
【００１４】
ここで、操作部は、操作棒に結合された操作レバーと、この操作レバーを所定の軌跡上を上下動または水平動させるガイド孔が形成された操作盤と、操作盤に設けられ、操作レバーの動きを規制可能するストッパとを有して構成するようにしてもよい。
このような構成によれば、操作レバーをガイド孔に沿って所定の軌跡通りに摺動させればいいので、操作を誤ることがなく、また、ストッパにより操作レバーの動きを規制することができるので、操作レバーを設定した位置で保持させることが可能となり、底蓋の位置が不安定になることを避けることが可能となる。
【００１５】
尚、操作盤に設けられるガイド孔は、操作棒の軸方向に沿って形成された軸孔と、この軸孔の下端に連結され、操作棒の周方向に沿って形成された周孔とから形成される構成とし、底蓋を防波管の軸方向に変位させる動作と周方向に変位させる動作との２段階として、底蓋の予め決まった動きを確保することで、底蓋の動きを安定させることができると共に、底蓋の移動する軌跡を見越して防波管の設置箇所の調整が容易となる。
【発明の効果】
【００１６】
以上述べたように、本発明に係る圧力式水位計測装置は、防波管の下端の開口部に着脱自在に設けられる底蓋をこれと連結して一体に変位する操作棒を操作部による操作で軸方向及び周方向に変位可能としたので、操作部による軸方向及び周方向の操作を底蓋に直接伝達させることが可能となり、底蓋を操作部の操作通りに動かすことが可能となるため、底蓋の開閉動作を的確に行うことが可能となる。
【００１７】
また、操作棒を防波管の下端よりも下方に延設し、操作棒の内部に外部から供給される水を下端部まで導く導水路を形成し、この操作棒の底蓋よりも下方に位置する部位に噴出ノズルが設けられているので、操作部による底蓋の動きが底蓋下方の土砂等で妨げられる場合でも、噴出ノズルから噴出させる水により防波管の下方に溜まっている土砂を除去することが可能となり、操作部による底蓋の確実な動きを確保することが可能となる。
【００１８】
尚、噴出ノズルを、操作棒の底蓋よりも下方に位置する部分において、操作棒の軸方向に複数配設されると共に、操作棒の周方向にも複数配設する構成とすれば、防波管の下方に溜まっている土砂を広範囲に亘って除去することが可能となる。また、噴出ノズルを、操作棒の下端にも設けて、操作棒の軸方向下方に水を噴出するようにすれば、操作棒の直下に溜まっている土砂を除去して操作棒のスムーズな動きを確保することが可能となる。
【００１９】
また、底蓋の上面を、周縁に向かうにつれて下方へ下がるテーパ状に形成することで、底蓋の上面に堆積している浮遊物を底蓋の上面から除去しやすくなり、また、底蓋に形成される通孔を中央部位に軸方向に形成することで、通孔の距離を相対的に長くすることが可能となり、防波管内に侵入する土砂等を低減することが可能となる。
【００２０】
さらに、操作部を、操作棒に結合された操作レバーと、この操作レバーを所定の軌跡上を上下動または水平動させるガイド孔が形成された操作盤と、操作盤に設けられ、操作レバーの動きを規制可能するストッパとを有して構成することで、操作レバーをガイド孔に沿って所定の軌跡通りに摺動させることが可能となり、操作を誤ることがなくなり、また、ストッパにより操作レバーを設定した位置で保持させることが可能となるので、底蓋の位置が不安定になることを避けることが可能となる。
【００２１】
尚、操作盤に設けられるガイド孔は、操作棒の軸方向に沿って形成された軸孔と、この軸孔の下端に連結され、操作棒の周方向に沿って形成された周孔とから形成される構成とし、底蓋を防波管の軸方向に変位させる動作と周方向に変位させる動作との２段階として、底蓋の予め決まった動きを確保することで、底蓋の動きを安定させることができると共に、底蓋の移動軌跡を見越して防波管の設置箇所の調整が容易となる。
【図面の簡単な説明】
【００２２】
【図１】図１は、本発明に係る圧力式水位計測装置の全体構成を示す図である。
【図２】図２は、図１の圧力式水位計測装置のＡ−Ａ線から見た図である。
【図３】図３は、本発明に係る圧力式水位計測装置の操作部を示す図であり、（ａ）は、底蓋を防波管の下端開口部に装着した状態での操作レバー位置を示す図であり、操作レバーの位置がストッパ１５により上下方向に動かないように規制されている状態を示し、（ｂ）は、底蓋を防波管の下端開口部から下方へ外すと共に周方向に回動させた状態での操作レバー位置を示す図であり、操作レバーの位置がストッパ１６により周方向に動かないように規制されている状態を示す。
【図４】図４は、操作棒と一体に回動する底蓋が操作レバーを変位させることで変位することを説明する説明図であり、（ａ）は、底蓋と操作レバーとの関係を示した概略図、（ｂ）は、底蓋を下げて回動させる動作を説明する説明図である。
【図５】図５は、従来の圧力式水位計測装置の構成を説明する図である。
【発明を実施するための形態】
【００２３】
以下、本発明における圧力式水位計測装置の実施形態について添付図面を参照しながら説明する。
【００２４】
図１において、圧力式水位計測装置１は、例えば、ダムや河川などの側壁２の近傍に、下端部が水面下に挿入されて固定具３を介して側壁２の所定位置に設置された円筒状の防波管４を具備している。この防波管４は、開口している上端の位置が予想される最高水位よりも上位に位置するように設定され、また、下端の位置が予想される最低水位よりも下位に位置するように設定されている。
【００２５】
この防波管４には、圧力式水位計５が上端開口部から挿入されて収容されており、この圧力式水位計５は、最も水位が低下する水位よりも下方に位置し、且つ、防波管４の下端開口部４ａよりも上方に位置するように設置されている。
【００２６】
防波管４の下端には、着脱可能な底蓋６が設けられており、この底蓋６には、小口径の通孔７が形成され、防波管内の水は、この通孔７を介してのみ流入又は流出するようになっている。
【００２７】
この例において、底蓋６は、合成樹脂で構成され、防波管４の下端にあてがう基部６ａと、この基部６ａの上面に一体に形成された封止部６ｂとから構成されている。封止部６ｂの上面は、中央部位を頂部として周縁に向かうほど下方へ下がるテーパ状に形成され、通孔７は、最も厚みが厚い中央部位に軸方向に形成されている。これにより、防波管内の水面は、防波管外の水面が小刻みに変動しても防波管内に伝達されにくくなり、小刻みに水位変動しないようになっている。
【００２８】
このような防波管４の近傍には、この防波管４に沿って略平行に配された操作棒１０が設けられている。この操作棒１０は、上端が水面よりも上まで延設され、下端が防波管４の下端よりも下方に延設された腐食しにくい金属素材や合成樹脂等で構成されているもので、下部近傍において底蓋６の基部６ａに連結されてこの底蓋６と一体に変位されるようになっている。
【００２９】
この操作棒１０の水面より上方へ延設された上端部は略直角に曲折され、また、水面よりも上方に延設された鉛直部分の上部には、手動にて操作棒１０を操作可能な操作部１１が設けられている。この操作部１１は、操作棒１０に結合された操作レバー１２と、この操作レバー１２を所定の軌跡上で上下動または水平動させるガイド孔１３が形成された操作盤１４と、操作盤１４に設けられ、操作レバー１２の動きを規制可能するストッパ１５，１６とを具備して構成されており、この実施例では、操作盤１４に設けられるガイド孔１３を、操作棒１０の軸方向に沿って形成された軸孔１３ａと、この軸孔１３ａの下端に連結され、操作棒１０の周方向に沿って形成された周孔１３ｂとから形成し、操作レバー１２をこのガイド孔１３を介して操作盤１４から突出させ、このガイド孔１３に沿って軸方向及び周方向にのみ変位できるようになっている。
【００３０】
また、ストッパ１５は、軸孔１３ａの先端部（周孔１３ｂと連接する側と反対側の端部）の近傍に設けられ、ストッパ１６は、周孔１３ｂの先端部（軸孔１３ａと連接する側と反対側の端部）の近傍に設けられている。
【００３１】
したがって、底蓋６の開閉が不要である通常時においては、底蓋６で防波管４の下端開口部４ａを閉塞した状態が維持されるように、操作レバー１２がガイド孔１３の上端（軸孔の上端）に位置し、その状態が保持されるようにストッパ１５で軸方向の移動が規制されるようになっている（図３（ａ）参照）。また、底蓋６を防波管４の下端開口部４ａから外して全開させた状態においては、この全開状態が保持されるように、ストッパ１６で周方向の移動が規制されるようになっている（図３（ｂ）参照）。
【００３２】
ところで、操作棒１０の内部は中空に形成されて、水面よりも上側の一端から水中の他端にかけて水を導く導水路２０が形成され、水面よりも上側の一端には、例えば、消防用ホース２１の先端部に設けられたジョイント部２２を接続するためのジョイント部２３が形成されている。
【００３３】
また、操作棒１０の防波管４の下端よりも下方、即ち、底蓋６よりも下方に延設され部分には、水を操作棒１０の軸心に対して垂直方向（径方向）に噴射する噴出ノズル２５が複数受けられている。この噴出ノズル２５は、操作棒１０の軸方向に所定の間隔で複数（この例では、４つ）配設されると共に、操作棒１０の周方向にも所定の間隔（中心角にして３０度〜４５度の間隔）で複数（この例では、防波管４の軸中心に向けて噴射する噴出ノズルと、この噴出ノズルを中心として両側に所定の間隔で配された２つの噴出ノズルの計３つ）配設されている。
また、操作棒１０の下端にもこの操作棒１０の軸心に沿って下方へ水を噴射する噴出ノズル２５が設けられている。
【００３４】
これら噴出ノズル２５は、操作棒１０の内部に形成された導水路２０に接続されており、したがって、操作棒１０のジョイント部２３に消防用ホース２１のジョイント部２２を接続して水が導水路２０に供給されると、この水が導水路２０を介して操作棒１０の先端部に導かれ、底蓋６の下方周辺に圧送されると共に、操作棒１０の下方にも圧送されるようになっている。
【００３５】
したがって、以上の構成において、防波管４の下端開口部４ａに着脱自在に設けられる底蓋６は、これと一体に変位する操作棒１０を操作レバー１２により操作することで、その操作力を底蓋６に直接伝達させて、この底蓋６を軸方向及び周方向に変位させることが可能となるので、底蓋６を操作レバー１２の操作通りに動かすことが可能となる。
【００３６】
このため、防波管内に土砂等の堆積物が底蓋６上に溜まっている状態において、この堆積物を除去する場合には、ストッパ１５，１６を外し、軸孔１３ａの上端部に位置している操作レバー１２を手で持って軸孔１３ａに沿って下方へ移動させ、周孔１２ｂとの交差部分まで押し下げる。これにより、操作棒１０は押し下げられ、これと一体に変位する底蓋６は、防波管４の下端開口部４ａから外れて下方へ下げられる。その後、操作レバー１２を周孔１３ｂに沿ってその先端まで摺動させれば、操作棒１０は、自身の軸心を中心に回動し、操作棒１０と一体に変位する底蓋６も、操作棒１０の軸心を中心として操作レバー１２と同じ角度だけ回動する。
【００３７】
これにより、底蓋６の上面は、ダムや水路などの水流に晒されることとなり、底蓋６の上部に溜まっている堆積物を、ダムや水路などの水流によって、また、底蓋６を回動させる際の衝撃によって、除去することが可能となる。この際、底蓋６を水流に晒した状態を維持するために、外したストッパ１６を取り付けて、操作レバー１２の周方向の移動を規制するとよい。
【００３８】
その後、底蓋６を元の位置に戻すには（底蓋６を防波管４の下端部に装着する場合には）、ストッパ１６を取り外して、操作レバー１２の移動規制を解除し、操作レバー１２を周孔１３ｂに沿って軸孔１３ａとの交差部まで移動させる。これにより、操作棒１０は自身の軸心を中心して回動し、この操作棒１０と一体に変位する底蓋６も防波管４の直下まで移動する。しかる後に、操作レバー１２を軸孔１３ａに沿って上方へ移動させれば、操作棒１０は、上方へ変位し、これと一体に変位する底蓋６は防波管４の下端開口部４ａに装着されて、防波管４の下端を閉塞し、通常使用時の元の状態に戻る。
【００３９】
このため、底蓋６の下方に土砂が溜まっている状態においても、操作レバー１２を操作することで、底蓋６を押し下げたり回動させたりすることが可能となるので、底蓋６の上述した動きにより、底蓋下方の土砂をある程度排除させることができ、底蓋６の開閉動作を的確に行うことが可能となる。
【００４０】
また、底蓋６の周囲に堆積した土砂などによって底蓋６を動かしにくい場合や底蓋６の動きが底蓋下方の土砂で妨げられている場合でも、噴出ノズル２５から噴出させる水により防波管４の下方に溜まっている土砂を吹き散らして除去することが可能となり、操作部１１による底蓋６のよる動きをより確実に操作することが可能となる。
【００４１】
即ち、噴出ノズル２５は、操作棒１０の底蓋６よりも下方の部分において、操作棒１０の軸方向に複数配設されると共に、操作棒１０の周方向にも複数配設されているので、防波管下方に溜まっている土砂を広範囲に亘って除去することで、底蓋６のスムーズな動きを確保することが可能となり、また、噴出ノズル２５は、操作棒１０の下端にも設けられているので、操作棒１０の直下の土砂も除去することが可能となり、操作棒１０のスムーズな動きを確保することが可能となる。
【００４２】
また、底蓋６は、その上面が中央部位を頂部として周縁に向かうほど下方へ下がるテーパ状に形成されているので、底蓋６を防波管４から外した場合に、底蓋６の上面に堆積している堆積物αを底蓋６の上から除去しやすくなる。
【００４３】
さらに、操作レバー１２は、ガイド孔１３に沿って所定の軌跡通りに摺動させればいいので、操作を誤ることがなく、また、操作に無駄な動きを伴うことがなくなる。しかも、操作盤１４に設けられるガイド孔１３は、操作棒１０の軸方向に沿って形成された軸孔１３ａと、この軸孔１３ａの下端に連結され、操作棒１０の周方向に沿って形成された周孔１３ｂとから形成されたＬ字状をなし、底蓋６を防波管４の軸方向に変位させる動作と防波管４の周方向に変位させる動作との２段階となっているので、底蓋６の予め決まった動きを確保することで、底蓋６の動きを安定させることができると共に、底蓋６の可動範囲を見越して防波管４の設置箇所の調整を容易に行うことが可能となる。
【００４４】
さらに、操作レバー１２は、ストッパ１５，１６により操作レバー１２の動きを規制することができるので、操作レバー１２を所定の設定位置で保持させることが可能となり、底蓋６の位置が不安定になることを避けることが可能となる。
【００４５】
なお、上述の構成においては、噴出ノズル２５を操作棒１０の周面において、軸方向に等間隔に４つ設け、周方向に３つ設けた例を示したが、この形態に限定するものではなく、噴出ノズル２５の配置は、底蓋６の動きを確保するために、適宜調整するようにするとよい。また、この例において操作部１１は、底蓋６の動きを操作する操作レバー１２を設けただけの構成であるが、操作棒１０のジョイント部２３に水を供給するホースを常時接続しておき、導水路２０の先端部に供給される水を操作部１１に設けられた図示しない開閉弁を開閉操作して供給または停止させるようにしてもよい。
【符号の説明】
【００４６】
１  圧力式水位計測装置
４  防波管
５  圧力式水位計
６  底蓋
７  通孔
１０  操作棒
１１  操作部
１２  操作レバー
１３  ガイド孔
１３ａ  軸孔
１３ｂ  周孔
１４  操作盤
１５，１６  ストッパ
２０  導水路
２５  噴出ノズル
【図１】
0005529071.tif 000002
【図２】
0005529071.tif 000003
【図３】
0005529071.tif 000004
【図４】
0005529071.tif 000005
【図５】
0005529071.tif 000006